【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
ラッチ式ソレノイドゲートバルブであって、該ラッチ式ソレノイドゲートバルブは、
中に流路を有する導管と、前記導管を第１セクションおよび第２セクションに分離するキャビティとを画定するハウジングと、
前記ハウジングの前記キャビティ内に封入されたゲートアセンブリであって、
着磁性材料を備えるとともに、中を通る開口部を画定する第１ゲート部材であって、前記開口部が前記導管と整列する開位置および前記開口部が前記導管と整列しない閉位置の間で、前記キャビティ内で直線的に移動可能である前記第１ゲート部材を備える、ゲートアセンブリと、
前記キャビティ内に着座する第１ソレノイドアセンブリおよび第２ソレノイドアセンブリであって、前記ゲートアセンブリがこれらの間で直線的に並進可能である、第１ソレノイドアセンブリおよび第２ソレノイドアセンブリと、
を備え、
前記第１および第２ソレノイドアセンブリの一方が作動して前記第１ゲート部材を磁気吸着すると同時に、前記第１および第２ソレノイドアセンブリの他方が前記第１ゲート部材と磁気的に反発することによって、前記第１ゲート部材が、前記開位置または前記閉位置のいずれかから直線的に移動し、
各前記第１ソレノイドアセンブリおよび前記第２ソレノイドアセンブリが、回路基板と、前記回路基板に電気的に接続された巻線とを備え、
前記回路基板がマイクロコントローラを備え、該マイクロコントローラは、第１Ｈブリッジの負荷として前記第１ソレノイドアセンブリの前記巻線を有する、前記第１ソレノイドアセンブリのための第１Ｈブリッジに電気的に接続され、および前記マイクロコントローラは、第２Ｈブリッジの負荷として前記第２ソレノイドアセンブリの前記巻線を有する、前記第２ソレノイドアセンブリのための第２Ｈブリッジに電気的に接続され、前記第１および第２Ｈブリッジは、いずれかの方向の電流によって前記第１ソレノイドアセンブリおよび前記第２ソレノイドアセンブリの前記巻線をそれぞれ励磁するために、前記マイクロコントローラに電気的に接続されている、ラッチ式ソレノイドゲートバルブ。
【請求項２】
コアは、略Ｅ字形コアである、請求項１に記載のラッチ式ソレノイドゲートバルブ。
【請求項３】
前記第１Ｈブリッジは、第１直列回路に電気的に接続された第１抵抗および第１コンデンサを備え、前記第１直列回路の一端部が前記第１ソレノイドアセンブリの前記巻線の第１端部に接続されるとともに、前記第１直列回路の他端部が前記第１ソレノイドアセンブリの前記巻線の第２端部に接続され、および前記第１抵抗および前記第１コンデンサの間の第１接合部に電気的に接続された第１センス線は、前記マイクロコントローラに電気的に結合されている、請求項１に記載のラッチ式ソレノイドゲートバルブ。
【請求項４】
前記第２Ｈブリッジは、第２直列回路に電気的に接続された第２抵抗および第２コンデンサを備え、前記第２直列回路の一端部が前記第２ソレノイドアセンブリの前記巻線の第１端部に接続されるとともに、前記第２直列回路の他端部が前記第２ソレノイドアセンブリの前記巻線の第２端部に接続され、および前記第２抵抗および前記第２コンデンサの間の第２接合部に電気的に接続された第２センス線は、前記マイクロコントローラに電気的に結合されている、請求項３に記載のラッチ式ソレノイドゲートバルブ。
【請求項５】
前記ゲートアセンブリが第２ゲート部材と、前記第１ゲート部材および前記第２ゲート部材の間に挟まれたエンドレス弾性バンドとをさらに備え、前記エンドレス弾性バンドによって画定される第２開口部は、前記第１ゲート部材の前記開口部に位置合わせされ、前記エンドレス弾性バンドは、前記第１および第２ゲート部材と共に前記キャビティ内で直線的に並進可能である、請求項１に記載のラッチ式ソレノイドゲートバルブ。
【請求項６】
前記ハウジングが前記キャビティ内に突出する複数のガイドを含み、前記ガイドの間に前記ゲートアセンブリが着座する、請求項３に記載のラッチ式ソレノイドゲートバルブ。
【請求項７】
前記ハウジングが該ハウジングから突出する電気コネクタをさらに備え、前記電気コネクタは、前記回路基板を外部コントローラに電気的に接続する、請求項１に記載のラッチ式ソレノイドゲートバルブ。
【請求項８】
前記ゲートアセンブリは、中を通る第２開口部を有する第２ゲート部材をさらに備え、前記第１ゲート部材および前記第２ゲート部材の両方は、前記キャビティ内で共に直線的に並進可能である、請求項１に記載のラッチ式ソレノイドゲートバルブ。
【請求項９】
前記第１ゲート部材および前記第２ゲート部材が着磁性材料で構成されている、請求項８に記載のラッチ式ソレノイドゲートバルブ。
【請求項１０】
前記ゲートアセンブリが、前記ゲートアセンブリの上面に沿って配置された第１永久磁石と、前記ゲートアセンブリの下面に沿って配置された第２永久磁石とを含む、請求項８に記載のラッチ式ソレノイドゲートバルブ。
【請求項１１】
ラッチ式ソレノイドゲートバルブ内でゲートアセンブリを直線的に並進させる方法であって、前記方法は、
請求項１に記載のラッチ式ソレノイドゲートバルブを設けるステップと、
前記ゲートアセンブリの位置を要求する信号を前記マイクロコントローラが受信するステップと、
第１ソレノイドアセンブリの第１巻線および第２ソレノイドアセンブリの第２巻線を励磁および非励磁するために各前記第１および第２Ｈブリッジの１つおきの脚部を通る流れを変えながら、前記第１および第２Ｈブリッジの両方を介して、前記第１ソレノイドアセンブリの前記第１巻線を通り、および前記第２ソレノイドアセンブリの前記第２巻線を通る、所定の期間にわたって時間変化する電圧を前記マイクロコントローラから送るステップと、
前記第１ソレノイドアセンブリの前記巻線および前記第２ソレノイドアセンブリの前記巻線のインダクタンスの振動の振幅を決定するために、前記マイクロコントローラに電気的に結合された第１センス線、および第２センス線それぞれを監視するステップと、
を備え、
振動の前記振幅は、各前記巻線からの前記第１ゲート部材の距離に相関し、かつ前記第１または前記第２センス線のいずれかの振動の最大振幅は、前記ゲートアセンブリの位置を示す、方法。
【請求項１２】
振動の前記振幅に基づく前記ゲートアセンブリの位置を示す信号を前記マイクロコントローラから送るステップをさらに備える、請求項１１に記載の方法。
【請求項１３】
前記マイクロコントローラに電気的に接続された外部コントローラを設けるステップと、
前記外部コントローラで前記マイクロコントローラからの信号を受信するステップと、
さらに備える、請求項１２に記載の方法。
【請求項１４】
前記第１および第２Ｈブリッジ両方の適合する脚部を作動させて、前記第１および第２ソレノイドアセンブリの一方が前記第１ゲート部材を磁気吸着するとともに、前記第１および第２ソレノイドアセンブリの他方が前記第１ゲート部材を磁気的に反発し、それにより前記ゲートアセンブリを異なる位置に直線的に並進させるように、前記ゲートアセンブリの位置を示す前記信号に基づいて、前記外部コントローラから前記マイクロコントローラに信号を送るステップを備える、請求項１３に記載の方法。
【請求項１５】
ラッチ式ソレノイドゲートバルブ内でゲートアセンブリを直線的に並進させる方法であって、前記方法は、
請求項１に記載のラッチ式ソレノイドゲートバルブを設けるステップと、
前記ゲートアセンブリの位置を要求する信号を前記マイクロコントローラが受信するステップと、
第１ソレノイドアセンブリの巻線および第２ソレノイドアセンブリの巻線を励磁および非励磁するために、各前記第１および第２Ｈブリッジの１つおきの脚部を通る流れを変えながら、前記第１および第２Ｈブリッジの両方を介して、前記第１ソレノイドアセンブリの前記巻線および前記第２ソレノイドアセンブリの前記巻線にわたる掃引周波数を前記マイクロコントローラから送るステップと、
前記巻線のピーク電圧振幅を決定するために、前記マイクロコントローラに電気的に結合された第１センス線、および第２センス線それぞれを監視するステップと、
を備え、
前記ピーク電圧振幅は、各前記巻線からの前記第１ゲート部材の距離に相関し、それによって前記ゲートアセンブリの位置を示している、方法。
【請求項１６】
前記掃引周波数は、周波数の増加または減少範囲にわたり、前記第１センス線および前記第２センス線を監視するステップは、それぞれの前記ピーク電圧振幅を決定するためである、請求項１５に記載の方法。
【請求項１７】
最大のピーク振幅に基づく前記ゲートアセンブリの位置を示す信号を前記マイクロコントローラから送るステップをさらに備える、請求項１６に記載の方法。
【請求項１８】
前記マイクロコントローラに電気的に接続された外部コントローラを設けるステップと、
前記外部コントローラで前記マイクロコントローラからの信号を受信するステップと、
さらに備える、請求項１７に記載の方法。
【請求項１９】
前記第１および第２Ｈブリッジ両方の適合する脚部を作動させて、前記第１および第２ソレノイドアセンブリの一方が前記第１ゲート部材を磁気吸着するとともに、前記第１および第２ソレノイドアセンブリの他方が前記第１ゲート部材を磁気的に反発し、それにより前記ゲートアセンブリを異なる位置に直線的に並進させるように、前記ゲートアセンブリの位置を示す前記信号に基づいて、前記外部コントローラから前記マイクロコントローラに信号を送るステップを備える、請求項１８に記載の方法。